(57)【特許請求の範囲】
【請求項１】
通信ネットワークのユーザ端末とモビリティ管理エンティティとの間のＳＭＳトランスポートリソースのリリースを制御する方法であって、該リリースは、前記ネットワークの移動通信交換局における制御プロトコル肯定応答信号の後に許可される、ＳＭＳトランスポートリソースのリリースを制御する方法。
【請求項２】
前記リリースは、前記移動通信交換局における制御プロトコル肯定応答信号の受信の後に許可される、請求項１に記載の方法。
【請求項３】
前記リリースは、前記移動通信交換局からの制御プロトコル肯定応答信号の送出の後に許可される、請求項１に記載の方法。
【請求項４】
前記モビリティ管理エンティティは、前記リソースを解放するように構成される、請求項１、２、又は３に記載の方法。
【請求項５】
前記ＭＭＥモビリティ管理エンティティは、解放要求信号の受信に応じて前記リソースをリリースする、請求項４に記載の方法。
【請求項６】
通信ネットワークのユーザ端末とモビリティ管理エンティティとの間のＳＭＳトランスポートリソースのリリースを制御する方法であって、該リリースは、解放要求信号の受信に応じて前記モビリティ管理エンティティによって開始される、ＳＭＳトランスポートリソースのリリースを制御する方法。
【請求項７】
前記解放要求信号は前記移動通信交換局から配信される、請求項５又は６に記載の方法。
【請求項８】
前記解放要求信号は前記ネットワークの前記ＳＧｓインターフェースに導入される、請求項５、６、又は７に記載の方法。
【請求項９】
発展型パケットシステムネットワークを含む、請求項１〜８のいずれか１項又は複数項に記載の方法。
【請求項１０】
前記ユーザ端末は回線交換対応デバイスを備える、請求項１〜８のいずれか１項又は複数項に記載の方法。
【請求項１１】
前記解放は前記移動通信交換局に関連付けられるビジターロケーションレジスターにおける制御プロトコル肯定応答信号の後に許可される、請求項１〜８のいずれか１項又は複数項に記載の方法。
【請求項１２】
ユーザ端末を含む通信ネットワークのモビリティ管理エンティティであって、前記ユーザ端末との間でＳＭＳトランスポートリソースを調整され、該リソースの解放を制御するようにさらに構成される、モビリティ管理エンティティ。
【請求項１３】
解放要求信号の受信に応じて前記リソースをリリースするように構成される、請求項１２に記載のモビリティ管理エンティティ。
【請求項１４】
前記ネットワーク内の移動通信交換局から受信した解放要求信号に応じて前記リソースをリリースするように構成される、請求項１３に記載のモビリティ管理エンティティ。
【請求項１５】
発展型パケットシステムネットワーク内で提供される、請求項１２、１３、又は１４に記載のモビリティ管理エンティティ。
【請求項１６】
回線交換対応ユーザ端末と通信するように構成される、請求項１２〜１４のいずれか１項又は複数項に記載のモビリティ管理エンティティ。
【請求項１７】
通信ネットワークのモビリティ管理エンティティと移動通信交換局との間で提供されるように構成されると共に、前記モビリティ管理エンティティにおいて前記ネットワークの該モビリティ管理エンティティとユーザ端末との間のＳＭＳトランスポートリソースの解放を制御するために該モビリティ管理エンティティに解放要求信号を配信するように構成される、ＳＧｓインターフェース。
【請求項１８】
前記解放要求信号は前記ネットワークの移動通信交換局から発信される、請求項１７に記載のインターフェース。
【請求項１９】
発展型パケットシステムネットワーク内で提供されるように構成される、請求項１７又は１８に記載のインターフェース。
【請求項２０】
回線交換対応ユーザ端末を用いるネットワーク内での使用のために構成される、請求項１７、１８、又は１９に記載のインターフェース。
【請求項２１】
実質的に、添付の図面の図２及び図３を参照して上述され、該添付の図面の図２及び図３に示されるような、ＳＭＳトランスポートリソースの解放を制御する方法。
【請求項２２】
実質的に、添付の図面を参照して上述したようなモビリティ管理エンティティ。
【請求項２３】
実質的に、添付の図面を参照して上述したようなＳＧインターフェース。
【請求項２４】
モビリティ管理エンティティ、すなわちＭＭＥと、ユーザ端末、すなわちＵＥとの間でＳＭＳトランスポートリソースがもはや必要とされないときを求める方法であって、該方法は、
サービスセンターへのＳＭＳメッセージの配信を示す配信報告を受信すること、
前記配信報告を前記ＵＥに転送すること、
前記ＵＥから前記配信報告の受信の肯定応答を受信すること、
前記肯定応答を移動通信交換局／ビジターロケーションレジスター、すなわちＭＳＣ／ＶＬＲに転送すること、及び
前記ＭＳＣ／ＶＬＲから、前記ＳＭＳトランスポートリソースを解放することができることを示すメッセージを受信すること、
を含む、方法。
【請求項２５】
モビリティ管理エンティティ、すなわちＭＭＥと、ユーザ端末、すなわちＵＥとの間でＳＭＳトランスポートリソースがもはや必要とされないときを求める方法であって、該方法は、
サービスセンターへのＳＭＳメッセージの配信を示す配信報告を受信すること、
前記配信報告を前記ＭＭＥに転送すること、
前記ＭＭＥから、前記ＵＥによる前記配信報告の受信の肯定応答を受信すること、及び
前記ＭＭＥに、前記ＳＭＳトランスポートリソースを解放することができることを示すメッセージを送信すること、
を含む、方法。
【請求項２６】
モビリティ管理エンティティ、すなわちＭＭＥと、ユーザ端末、すなわちＵＥとの間でＳＭＳトランスポートリソースがもはや必要とされないときを求める方法であって、該方法は、
前記ＵＥから、該ＵＥへのＳＭＳメッセージの配信を示す配信報告を受信すること、
前記配信報告を移動通信交換局／ビジターロケーションレジスター、すなわちＭＳＣ／ＶＬＲに転送すること、
前記ＭＳＣ／ＶＬＲから前記配信報告の受信の肯定応答を受信すること、
前記肯定応答を前記ＵＥに転送すること、及び
前記ＭＳＣ／ＶＬＲから、前記ＳＭＳトランスポートリソースを解放することができることを示すメッセージを受信すること、
を含む、方法。
【請求項２７】
モビリティ管理エンティティ、すなわちＭＭＥと、ユーザ端末、すなわちＵＥとの間でＳＭＳトランスポートリソースがもはや必要とされないときを求める方法であって、該方法は、
前記ＭＭＥから、前記ＵＥへのＳＭＳメッセージの配信を示す配信報告を受信すること、
前記配信報告をサービスセンターに転送すること、
前記ＭＭＥに、前記配信報告の受信の肯定応答を送信すること、及び
前記ＭＭＥに、前記ＳＭＳトランスポートリソースを解放することができることを示すメッセージを送信すること、
を含む、方法。
【請求項２８】
モビリティ管理エンティティ、すなわちＭＭＥと、ユーザ端末、すなわちＵＥとの間でＳＭＳトランスポートリソースがもはや必要とされないときを求める装置であって、該装置は、
サービスセンターへのＳＭＳメッセージの配信を示す配信報告を受信し、
前記配信報告を前記ＵＥに転送し、
前記ＵＥから前記配信報告の受信の肯定応答を受信し、
前記肯定応答を移動通信交換局／ビジターロケーションレジスター、すなわちＭＳＣ／ＶＬＲに転送すると共に、
前記ＭＳＣ／ＶＬＲから、前記ＳＭＳトランスポートリソースを解放することができることを示すメッセージを受信する、
ように構成される、装置。
【請求項２９】
モビリティ管理エンティティ、すなわちＭＭＥと、ユーザ端末、すなわちＵＥとの間でＳＭＳトランスポートリソースがもはや必要とされないときを求める装置であって、該装置は、
サービスセンターへのＳＭＳメッセージの配信を示す配信報告を受信し、
前記配信報告を前記ＭＭＥに転送し、
前記ＭＭＥから、前記ＵＥによる前記配信報告の受信の肯定応答を受信すると共に、
前記ＭＭＥに、前記ＳＭＳトランスポートリソースを解放することができることを示すメッセージを送信する、
ように構成される、装置。
【請求項３０】
モビリティ管理エンティティ、すなわちＭＭＥと、ユーザ端末、すなわちＵＥとの間でＳＭＳトランスポートリソースがもはや必要とされないときを求める装置であって、該装置は、
前記ＵＥから、該ＵＥへのＳＭＳメッセージの配信を示す配信報告を受信し、
前記配信報告を移動通信交換局／ビジターロケーションレジスター、すなわちＭＳＣ／ＶＬＲに転送し、
前記ＭＳＣ／ＶＬＲから前記配信報告の受信の肯定応答を受信し、
前記肯定応答を前記ＵＥに転送すると共に、
前記ＭＳＣ／ＶＬＲから、前記ＳＭＳトランスポートリソースを解放することができることを示すメッセージを受信する、
ように構成される、装置。
【請求項３１】
モビリティ管理エンティティ、すなわちＭＭＥと、ユーザ端末、すなわちＵＥとの間でＳＭＳトランスポートリソースがもはや必要とされないときを求める装置であって、該装置は、
前記ＭＭＥから、前記ＵＥへのＳＭＳメッセージの配信を示す配信報告を受信し、
前記配信報告をサービスセンターに転送し、
前記ＭＭＥに、前記配信報告の受信の肯定応答を送信すると共に、
前記ＭＭＥに、前記ＳＭＳトランスポートリソースを解放することができることを示すメッセージを送信する、
ように構成される、装置。
【発明の詳細な説明】
【技術分野】
【０００１】
本発明は、通信ネットワーク内のショートメッセージサービス（ＳＭＳ）トランスポートリソースの制御に関し、特に回線交換（ＣＳ）対応端末を用いるアレンジされた発展型パケットシステム（ＥＰＳ）に関する。
【背景技術】
【０００２】
ロングタームエボリューション（ＬＴＥ）ネットワーク内での音声通信を容易にするために、様々な提案が用意されつつあるが、そのうちの１つは、いわゆるＣＳフォールバックを含み、該ＣＳフォールバックにおいて、ＬＴＥユーザ端末（ＵＥ）は、着信／発信音声通信の受信／送信のために、たとえばＧＳＭ又はＵＭＴＳに「フォールバック」するように構成される。
【０００３】
ＥＰＳ内でのＣＳフォールバックは、主に移動通信交換局（ＭＳＣ）サーバ／ビジターロケーションレジスター（ＶＬＲ）又は移動通信交換局（ＭＳＣ）／ビジターロケーションレジスター（ＶＬＲ）とモビリティ管理エンティティ（ＭＭＥ）との間で提供されるＳＧｓインターフェースメカニズムを用いることによって実現される。
【０００４】
ＳＧｓインターフェース機能は、３ＧＰＰ  ＴＳ２３．０６０に従ってＧｓインターフェースに関して指定されたメカニズムから導き出される。
【０００５】
さらに、３ＧＰＰ ＴＳ２３．２７２から、ＥＰＳサービス及び非ＥＰＳサービス（ＣＳサービス）の双方に所属するＵＥのための、ＭＭＥとＭＳＣ／ＶＬＲとの間のＳＧｓインターフェースにより、Ｅ−ＵＴＲＡＮ（Evolved UMTS Terrestrial Radio Access Network：発展型ＵＭＴＳ地上無線アクセスネットワーク）内で動作しているＵＥとＣＳドメイン内のＭＳＣとの間でＳＭＳメッセージをトランスポートするための構成が提供されている。
【先行技術文献】
【非特許文献】
【０００６】
【非特許文献１】３ＧＰＰ  ＴＳ２３．０６０
【非特許文献２】３ＧＰＰ  ＴＳ２３．２７２
【非特許文献３】３ＧＰＰ  ＴＳ２４．０１１
【発明の概要】
【発明が解決しようとする課題】
【０００７】
しかしながら、この既知の提案は、不都合なことに、ＵＥとＭＳＣ／ＶＬＲとの間のＳＭＳトランスポートに関して構成されるときのＭＭＥとＵＥとの間の進行中のリソース管理に関して限定的である。３ＧＰＰ ＴＳ２３．２７２の図８．２．２．１におけるステップ１０のステージ２から、ＭＭＥがＳＭＳ転送に関連付けられるリソースを解放することができることが提案されているが、そのような解放の本質及び／又はタイミングに関しては何ら指示されていない。
【０００８】
したがって、このＳＭＳリソースの制御は、効率的な展開及び所望に応じたそのようなサービスの解放を阻害する限定要因となっている。
【０００９】
本発明は、ＳＭＳトランスポートリソースのリリースの制御方法、また並びに、既知のそのような方法及びデバイスに勝る利点を提供する関連するＭＭＥ及びＳＧｓインターフェースを提供しようとするものである。
【課題を解決するための手段】
【００１０】
本発明の１つの態様によれば、通信ネットワークのユーザ端末とモビリティ管理エンティティ（ＭＭＥ）との間のＳＭＳトランスポートリソースのリリースを制御する方法であって、該リリースは、前記ネットワークの移動通信交換局における制御プロトコル肯定応答信号（Control Protocol Acknowledge signal）の後に続いて許可される。
【００１１】
本方法は、ＵＥとＭＭＥとの間のシグナリング接続がもはや用いられないときを容易に特定することができるという点で特に有利である。
【００１２】
好ましくは、前記リリースは、移動通信交換局における制御プロトコル肯定応答信号の受信の後に許可することができる。
【００１３】
さらに、前記リリースは、移動通信交換局からの制御プロトコル肯定応答信号のディスパッチの後に許可することができる。
【００１４】
有利には、ＭＭＥは、前記リソースをリリースするように構成することができる。特に、このＭＭＥは、解放要求信号（release request signal）の受信に応じて前記リソースを解放することができる。
【００１５】
本発明の別の態様によれば、通信ネットワークのユーザ端末とＭＭＥとの間のＳＭＳトランスポートリソースのリリースを制御する方法が提供され、該リリースは、解放要求信号の受信に応じてモビリティ管理エンティティによって開始される。
【００１６】
この解放要求信号は移動通信交換局から配信することができる。
【００１７】
さらに、解放要求信号はネットワークのＧｓインターフェースに導入することができる。
【００１８】
当然ながこの前記方法は発展型パケットシステムネットワーク（Evolved Packet System network）内で提供することができることを理解するべきである。そして、前記ユーザ端末は、ＣＳフォールバック対応デバイス等の回線交換対応デバイスを包含できる。
【００１９】
当然ながら、前記リリースは、ＭＣＳ／ＶＬＲにおける制御プロトコル肯定応答信号の後に続いて許可することができる。
【００２０】
本発明のさらなる態様によれば、ユーザ端末を含む通信ネットワークのＭＭＥであって、該ユーザ端末との間でＳＭＳトランスポートリソースを準備され、該リソースのリリースを制御するようにさらに構成される、ＭＭＥが提供される。
【００２１】
理解されるように、このＭＭＥは、解放要求信号の受信に応じて前記リソースを解放するように構成することができる。
【００２２】
好ましくは、ＭＭＥは、ネットワーク内の移動通信交換局から受信した解放要求信号に応じて前記リソースを解放するように構成されるが、この実際のタイミングは、ＵＥとＭＭＥとの間のシグナリング接続にある他のトラフィックに依拠する。
【００２３】
上述したように、このＭＭＥは、発展型パケットシステムネットワーク内で提供されることができ、ＣＳフォールバック対応ＵＥ等の回線交換対応ユーザ端末との通信のために提供されてもよい。
【００２４】
本発明のまたさらなる態様によれば、通信ネットワークのＭＭＥと移動通信交換局との間で準備されて提供されるＳＧｓインターフェースが提供され、ＭＭＥにおいてネットワークのＭＭＥとユーザ端末との間のＳＭＳトランスポートリソースのリリースを制御するために前記ＭＭＥに解放要求信号を配信するように構成される。
【００２５】
有利には、解放要求信号はネットワークの移動通信交換局から発信される。
【００２６】
このインターフェースは、発展型パケットシステムネットワーク内で提供されるようにさらに構成することができる。
【００２７】
上述したような回線交換対応ユーザ端末を用いるネットワーク内での使用のためにさらなるインターフェースを構成することができる。
【発明の効果】
【００２８】
このため、本発明を、たとえばＭＳＣにおいて生じる可能性があるエラー状態又は異常状態に容易に応じることができるように構成することができることを理解するべきである。制御プロトコル肯定応答信号のための最大再送信試行回数を、タイマー機能と併せて提供することができ、その数に達し、かつ／又はタイマーが満了すると、そのようなエラー／異常状態においても接続の解放を要求するようにＭＳＣを促すことができる。
【００２９】
添付の図面を参照して、単なる例示として本発明を以下でさらに説明する。
【図面の簡単な説明】
【００３０】
【図１】本発明の一実施形態による、ＭＭＥ及びＳＧインターフェースを用いるＥＰＳアーキテクチャのブロック図である。
【図２】本発明の１つの態様による、アイドルモードの移動局発信ＳＭＳのためのタイミング図である。
【図３】本発明の一態様による、アイドルモードの移動局着信ＳＭＳに関するタイミング図である。
【図４】ＧＲＰＳ移動局着信メッセージングについて本発明の一実施形態と既知の提案との間の関係を示すタイミング図である。
【発明を実施するための形態】
【００３１】
まず図１を参照すると、ＥＰＳアーキテクチャを用いるネットワーク１０を示すと共に、セルラーフォンハンドセット等のＵＥ１２とＭＳＣサーバ１４との間の通信を示すブロック図が与えられている。アーキテクチャは、ＥＰＳアーキテクチャのＬＴＥシステム上に音声データを組み込むことを可能にするようにＣＳフォールバックのために構成され、ＵＴＲＡＮ（ＵＭＴＳ地上無線アクセスネットワーク）１６、ＧＥＲＡＮ（ＧＳＭエッジ無線アクセスネットワーク）１８、及びＥ−ＵＴＲＡＮ２０等のＵＥ１２のための様々なネットワークの可能性が示されている。ＵＴＲＡＮ１６及びＧＥＲＡＮ１８はサービングＧＰＲＳ（汎用パケット無線サービス）サポートノード２２によりＭＳＣサーバ１４に接続することができるのに対し、Ｅ−ＵＴＲＡＮ２０は、ＭＭＥ２４およびＭＳＣサーバ／ＶＬＲとＭＭＥとの間で提供されるＳＧsインターフェースメカニズム２６によりＭＳＣサーバ１４に接続する。
【００３２】
さらに検討されるように、本発明を具現化するＭＭＥ２４は、ＳＭＳトランスポートリソースのリリースの制御を提供するように構成されると共に、ＳＧｓインターフェースメカニズム２６によりＭＳＣサーバ１４からのリソース解放開始メッセージ（resource-release initiating message）を受信するように構成される。ＳＧｓインターフェースメカニズム２６自体も本発明による新規の機能を含む。
【００３３】
したがって、図１内に提供され本発明の一実施形態に従う構成によって、ＭＭＥ２４とＵＥ１２との間のＳＭＳトランスポートリソースのリリースのためのメカニズムが提供され、これは有利にはＵＥとＭＳＣ／ＶＬＲとの間のシグナリング交換が完了した後に開始され、以下でさらに詳細に説明される。
【００３４】
ＵＥとＭＳＣ／ＶＬＲとの間のシグナリング交換が完了したとき、ＭＭＥがＭＳＣ／ＶＬＲからクリア要求を受信することを提案する。このようにして、ＭＭＥはＵＥとＭＭＥとの間のシグナリング接続がＭＳＣ／ＶＬＲによってもはや使用も要求もされないことを確実に特定することができ、それによってＭＭＥは非アクセス層（ＮＡＳ）シグナリング接続を完全に制御する。
【００３５】
以下の説明から理解されるように、解放要求であれ、解放又はエラーインジケーションメッセージであれ、様々なメッセージがＳＧｓにおいて生じ、それらのメッセージを、そのようなメッセージに関連するＵＥの識別子を含むように構成することができる。識別子はＩＭＳＩ（International Mobile Subscriber Identity:国際移動加入者識別番号）とすることができ、ＭＭＥがたとえば解放要求メッセージを受信したとき、いずれのシグナリング接続を解放すべきかを知ることを可能にできる。同様に、エラー又は問題が生じた場合、識別子はＭＳＣがいずれのＵＥについて問題があるのかを知ることを可能にする。
【００３６】
図２を参照して、ＥＰＳにおけるＭＯ ＳＭＳ（Mobile-Originated Short Message Service:移動局発信ショートメッセージサービス）のシーケンスが以下で検討される。これはＴＳ２３．２７２からの図８．２．２．１に基づくが、ＳＭＳ ＰＤＵ（ＳＭＳ Protocol Data Units: ＳＭＳプロトコルデータユニット）が付加され、シーケンスがＳＭＳ ＰＤＵの交換全体を包含するように拡張した。
【００３７】
有利には、ＭＭＥは、ＵＥからの最終ＳＭＳ ＰＤＵ（ＣＰ ＡＣＫ）をＭＳＣ／ＶＬＲに転送するために、該最終ＳＭＳ ＰＤＵを待つ。そして、ＭＯ ＳＭＳのためのリソースはＣＰ−ＡＣＫメッセージが受信された後に解放される。しかしながら、ＭＭＥがＳＭＳメッセージの内容を特定することができず、したがってＳＭＳ解放のトリガーは、有利にはＳＭＳ転送が完了したか否かを知っているＭＳＣ／ＶＬＲから生じることが理解される。例示される実施形態において、そのようなリリースを上記のＳＧｓインターフェースを介して取り入れることを提案している。
【００３８】
したがって、図２を参照して、ＵＥ２８と、ＭＭＥ３０と、ＭＳＣ／ＶＬＲ３２と、ホームロケーションレジスター（ＨＬＲ）／ホーム加入者サーバ（ＨＳＳ）３４と、ＳＭＳ ＩＷＭＳＣ３６と、サービスセンター（ＳＣ）３８との間で生じるシグナリングの図が示されている。
【００３９】
理解されるように、シグナリングは、ＵＥ２８と、ＭＭＥ３０と、ＭＳＣ／ＶＬＲ３２と、ＨＬＲ／ＨＳＳ３４との間のＣＳフォールバックアタッチ手順４０に関連して生じ、ＵＥによってトリガーされたサービス要求４２から開始し、これによって制御プロトコルデータ要素及び中継プロトコルデータ要素を含むアップリンク非アクセス層（ＮＡＳ）トランスポート信号４４がもたらされる。
【００４０】
次に、ＲＰデータを含むＣＰデータを含むアップリンクユニットデータメッセージング４６がＭＭＥ３０からＳＧｓインターフェースを介してＭＳＣ／ＶＬＲ３２に配信され、ＭＳＣ／ＶＬＲ３２はショートメッセージ４８のＳＭＳ−ＩＷＭＳＣ３６への転送及びＳＣ３８へのさらなるメッセージ転送５０を開始する。
【００４１】
アップリンクユニットデータ４６の受信の後に、ＭＳＣ／ＶＬＲ３２は、ＣＰ肯定応答エレメントを含むダウンリンクユニットデータ信号５２を、ＳＧｓインターフェースを介してＭＭＥ３０に返すように構成され、そしてＭＭＥ３０は、同様にＣＰ肯定応答エレメントを含むダウンリンクＮＡＳトランスポート信号５４をＵＥ２８に提供する。
【００４２】
ＳＣ３８に戻ると、メッセージ転送５０の受信の後に、配信報告５６がＳＭＳ ＩＷＭＳＣ３６に返され、ＳＭＳ ＩＷＭＳＣ３６はＭＳＣ／ＶＬＲ３２へのさらなる配信報告５８を開始し、次にＭＳＣ／ＶＬＲ３２はＲＰ肯定応答エレメントを含むＣＰデータを含むダウンリンクユニットデータ信号６０をＳＧｓインターフェースを介してＭＭＥ３０に配信し、さらなるダウンリンクＮＡＳトランスポート信号６２を開始するようにする。このとき、ＮＡＳトランスポート信号６２はＲＰ肯定応答エレメントを含むＣＰデータを含む。
【００４３】
重要なことに、本発明によれば、この段階においてＭＭＥは上述したＳＭＳ転送のために関連付けられたリソースをまだ解放していない。
【００４４】
次に、ＣＰ肯定応答エレメントを含むアップリンクＮＡＳトランスポート信号６４がＵＥ２８からＭＭＥ３０に配信され、ＭＭＥ３０は、ＭＭＥ３０からＭＳＣ／ＶＬＲ３２への、同様にＣＰ肯定応答エレメントを含むアップリンクユニットデータ信号６６を開始する。
【００４５】
ＭＳＣ／ＶＬＲ３２におけるこのＣＰ肯定応答エレメントの受信によって、ＭＳＣ／ＶＬＲ３２からＭＭＥ３０に配信される極めて重要な解放要求信号６８が開始する。
【００４６】
解放要求信号６８は、リソースがもはやＭＳＣに必要とされていないという確認インジケーションをＭＭＥ３０に与え、それによって、次にＭＭＥ３０は、いつでも最も適切であるときに、かつＥＰＳトラフィックに特有の他の条件に依拠してリソースを解放することができる。
【００４７】
図２の詳細に関して、本発明の一実施形態によって反対方向（すなわちＭＭＥからＭＳＣ）における制御シグナリングも可能にすることができることが理解されるべきである。
【００４８】
たとえば、ＵＥ２８とＭＭＥ３０との間のＮＡＳシグナリング接続が失われる場合、ＭＳＣ／ＶＬＲ３２は「解放インジケーション」メッセージによって通知されることができる。次に、ＭＳＣ／ＶＬＲ３２は、たとえばＴＳ２４．０１１の従属節５．３．４に提案されるような適切な動作をとることができる。また、「エラー」インジケーションは、ＭＭＥ３０によってＵＥ２８にＳＭＳメッセージの配信が行われない状況において、ＭＭＥ３０からＭＳＣ／ＶＬＲ３２に有用に送信され得る。次に、ＭＳＣ内のＳＭＳエンティティは、たとえばＴＳ２４．０１１の従属節５．３．４に提案されるような適切な動作をとることができる。
【００４９】
これらのさらなる例において、失敗／エラーによって、図２に示すダウンリンクＮＡＳトランスポート６２後のシグナリングが生じないように阻止されることを理解するべきである。
【００５０】
移って図３を参照すると、アイドルモードの移動局着信ＳＭＳ（ＭＴ ＳＭＳ）に関するシグナリング図が提供されている。
【００５１】
ここでも、ＭＴ ＳＭＳのためのリリースは、ＭＳＣ／ＶＬＲによってＣＰ−ＡＣＫメッセージが送信された後に解放され、上記と同様に、ＭＭＥはＳＭＳメッセージの内容を知らないため、ＳＭＳ解放のトリガーはここでも、ＳＭＳ転送が完了したか否かを知る唯一のエンティティであるＭＳＣ／ＶＬＲから生じる。ＭＳＣ／ＶＬＲからＭＭＥへの解放要求は、したがって、図２の場合と同様に図３のシグナリングに関しても当てはまる。
【００５２】
これをこの段階で組み込むことが実現可能でない場合、短いタイムスケールを考慮して現在の提案のみで進めることを提案する。
【００５３】
そのため、図３をより詳細に参照すると、ＵＥ７０、ｅＮｏｄｅＢ７２、ＭＭＥ７４、ＭＳＣ／ＶＬＲ７６、ＨＬＲ／ＨＳＳ７８、ＳＭＳ−ＧＭＳＣ８０、及びＳＣ８２に関連して生じるシグナリングが示されている。
【００５４】
ここでも、図示されるシグナリングは、ＵＥ７０、ｅＮｏｄｅＢ７２、ＭＭＥ７４、ＭＳＣ／ＶＬＲ７６、及びＨＬＲ／ＨＳＳ７８のためのＣＳフォールバックアタッチ手順８４に関連して生じ、この説明は移動局着信手順に関連するので、シグナリングはＳＣ８２からＳＭＳ−ＧＭＳＣ８０へのメッセージ転送信号８６で開始し、ＳＭＳ−ＧＭＳＣ８０は次に、ＨＬＲ／ＨＳＳ７８とのルーチン交換メッセージング８８を開始する。続いて、シグナリング９０がショートメッセージをＳＭＳ−ＧＭＳＣ８０からＭＳＣ／ＶＬＲ７６に送信し、ＭＳＣ／ＶＬＲ７６は図示されるように、順番にＭＭＥ７４、ｅＮｏｄｅＢ７２、及びＵＥ７０への一連のページング信号９２、９４、９６を開始する。
【００５５】
次に、サービス要求手順９８がＭＭＥ７４からＭＳＣ／ＶＬＲ７６に配信されるサービス要求信号１００で開始する。ＭＳＣ／ＶＬＲ７６は、ＳＧｓインターフェースを介してＲＰデータエレメントを含むＣＰデータを含むダウンリンクユニットデータ信号１０２を返す。
【００５６】
ＭＭＥ７４は、ダウンリンクユニットデータ信号１０２を受信すると、ＲＰデータエレメントを含むＣＰデータを含むダウンリンクＮＡＳトランスポート信号１０４をＵＥ７０に配信し、そしてＵＥ７０は、ＣＰ肯定応答エレメントを含むアップリンクＮＡＳトランスポート信号１０６をＭＭＥ７４に送信し、ＭＭＥ７４は、ＭＳＣ／ＶＬＲ７６への、同様にＣＰ肯定応答エレメントを含むアップリンクユニットデータ信号１０８を開始する。
【００５７】
次に、ＵＥ７０はＣＰデータ及びＲＰ肯定応答エレメントを含むアップリンクＮＡＳトランスポートシグナリング１１０もＭＭＥ７４に配信し、そしてＭＭＥ７４は、そのようなＣＰデータ及びＲＰ肯定応答エレメントを含むアップリンクユニットデータ１１２をＳＧｓインターフェースを介してＭＳＣ／ＶＬＲ７６に配信する。
【００５８】
そして、ＭＳＣ／ＶＬＲ７６は、ＣＰ肯定応答エレメントを含むダウンリンクユニットデータ信号１１４をＳＧｓインターフェースを介してＭＭＥ７４に送信する。
【００５９】
重要なことに、ここでもこの時点においてＳＭＳリソースのリリースは発生せず、本発明によれば、ＭＳＣ／ＶＬＲ７６からＭＭＥ７４に配信される特定の解放要求信号の後に発生する。
【００６０】
ダウンリンクユニットデータ信号１１４を受信すると、ＭＭＥ７４はダウンリンクＮＡＳトランスポート信号１１６をＵＥ７０に配信し、該ダウンリンクＮＡＳトランスポート信号１１６はＣＰ肯定応答エレメントを含む。続いて、ＭＳＣ／ＶＬＲ７６は配信報告１１８をＳＭＳ−ＧＭＳＣ８０に送信し、そしてＳＭＳ−ＧＭＳＣ８０は配信報告信号１２０をＳＣ８２に転送する。
【００６１】
ＭＳＣ／ＶＬＲ７６は、この段階においてのみ、ＭＭＥ７４によるＳＭＳリソースの解放を開始するための解放要求信号１２２をＭＭＥ７４に配信する。
【００６２】
ＭＭＥ７４は、解放要求信号１２２を受信すると、リソースがもはやＭＳＣ７６に必要とされていないことを迅速に特定することができ、それによってリソースはＥＰＳトラフィックに特有の他の条件に依拠して任意の適切な時刻に解放することができる。
【００６３】
ここで、連結が適用されるときの、ＳＭＳを用いた可能なインタラクションを考慮すると、ＭＯ ＳＭＳの場合、ＵＥ７０は進行中のＳＭＳトランザクションが存在するまで最終ＣＰ−ＡＣＫを送信しない。このため、ＳＭＳ連結のためのＳＭＳ転送の終了によって、ＣＰ−ＡＣＫはＭＳＣ／ＶＬＲ７６においてＵＥ７０から受信されたままにされる。しかしながら、ＭＴ ＳＭＳの場合、ＭＳＣ／ＶＬＲ７６はリソースを担当し、全てのＳＭＳトランザクションが完了したことを知ると、任意の時点で解放要求をＭＭＥ７４に送信することができる。
【００６４】
同時のＭＯ ＳＭＳ及びＭＴ ＳＭＳを伴うシナリオの場合、ＭＳＣ／ＶＬＲは全ての進行中のトランザクションを認識しており、全てのＳＭＳ転送が完了すると解放要求をＭＭＥに送信することができる。次に、ＭＳＣ／ＶＬＲは解放要求をいつ送信するべきかを決定することができる。
【００６５】
ＭＳＣ／ＶＬＲ側での異常な事例又はエラーの事例の場合にもそのような解放要求を用いることが提案される。
【００６６】
要約すると、本発明は、ＭＳＣ／ＶＬＲがＭＭＥにＳＭＳトランザクションが完了したことを示すためのＳＧｓインターフェースにおける解放要求を導入することを提案する。図４は、これをさらに説明するために提供され、Ｉｕモードにおける、移動局側１２４とネットワーク側１２６との間のＣＭサブレイヤ上のＧＰＲＳ移動局着信メッセージングのための３ＧＰＰ ＴＳ２４．０１１からの抜粋を含む。重要なことに、最後のステップは、ＳＧＳＮにおけるＣＭ層からＧＭＭ層へのＰＭＭＳＭＳ−ＲＥＬ−Ｒｅｑメッセージ１２８を示し、本発明の示される実施形態は、これをＭＳＣ／ＶＬＲとＭＭＥとの間のインターフェースに適応させることに基づく。
【００６７】
本発明は、上述した実施形態の完全な詳細に限定されないことは当然理解されるべきである。たとえば、解放手順の制御はＣＳフォールバックシステムに関連してのみ提供される必要もなければ、実際ＥＰＳシステムに関連してのみ提供される必要もない。また、解放インジケーションを、ＳＧｓインターフェースを介したＭＳＣとＵＥとの間のＳＭＳのためのシグナリングに加えたシグナリングに関連して用いることもできる。
【００６８】
さらに、図２及び図３に示す実施形態は最初にアイドルモードにあるＵＥとのＳＭＳ転送に関するが、本発明は接続モードにあるＵＥに関連して容易に用いることができることを理解するべきである。
【００６９】
本出願は、２００９年１月３０日付けで出願された英国特許出願第０９０１５３９．７号に基づき、該特許出願の優先権の利益を主張するものである。該特許出願の開示は参照によりその全体が本明細書に援用される。
【図１】
0005382379.tif 000002
【図２】
0005382379.tif 000003
【図３】
0005382379.tif 000004
【図４】
0005382379.tif 000005